(57)【特許請求の範囲】
【請求項１】
再帰反射材を有し、路面に設置される前に溶融式区画線塗料を用いて予め形成され、前記路面とは反対側に向かって膨らんだ反射体であって、上面に間隔をあけて複数の突部が形成され、前記再帰反射材が前記複数の突部の表面に付着している反射体の製造方法において、
前記複数の突部に対応する窪みがそれぞれ形成された前記反射体の型を準備し、該各窪みに前記再帰反射材を投入する第１の工程と、
前記第１の工程を実施した後、前記型に再帰反射材を含む液体状の溶融式区画線塗料を流し込む第２の工程と、を含む反射体の製造方法。
【請求項２】
請求項１記載の反射体の製造方法であって、
前記突部の先端部が、先端方向に向かうに従って細くなるように形成されている反射体の製造方法。
【発明の詳細な説明】
【技術分野】
【０００１】
本発明は、反射体の製造方法に関する。
【背景技術】
【０００２】
特許文献１には、道路鋲が記載されている。この道路鋲は、断面略台形状の鋲本体の傾斜した外側面に複数の凹部が並んで設けられ、この凹部底部に平滑な反射面が位置するようにして鋲本体側面に再帰反射部が設けられている。各凹部内には、それぞれガラス板が嵌め込まれて上記反射面に接着一体化され、ガラス板表面が凹部から突出しないようになされている。
【先行技術文献】
【特許文献】
【０００３】
【特許文献１】特開平８−１９９５１４号公報
【発明の概要】
【発明が解決しようとする課題】
【０００４】
本発明は、施工が容易な反射体の製造方法を提供することを目的とする。
【課題を解決するための手段】
【０００５】
前記目的に沿う本発明に係る反射体の製造方法は、再帰反射材を有し、路面に設置される前に溶融式区画線塗料を用いて予め形成され、前記路面とは反対側に向かって膨らんだ反射体であって、上面に間隔をあけて複数の突部が形成され、前記再帰反射材が前記複数の突部の表面に付着している反射体の製造方法において、
前記複数の突部に対応する窪みがそれぞれ形成された前記反射体の型を準備し、該各窪みに前記再帰反射材を投入する第１の工程と、
前記第１の工程を実施した後、前記型に再帰反射材を含む液体状の溶融式区画線塗料を流し込む第２の工程と、を含む。
【０００６】
【０００７】
本発明に係る反射体の製造方法において、
前記突部の先端部が、先端方向に向かうに従って細くなるように形成されていてもよい。
【０００８】
【０００９】
【００１０】
【００１１】
【発明の効果】
【００１２】
本発明によれば、施工が容易な反射体の製造方法を提供できる。
【図面の簡単な説明】
【００１３】
【図１】本発明の一実施の形態に係る反射式道路鋲が区画線上に設置されている状態を示す説明図である。
【図２】同反射式道路鋲の概略の外観図である。
【図３】同反射式道路鋲のＡ−Ａ断面の一部の拡大図であって、突部の形状を模式的に示す説明図である。
【発明を実施するための形態】
【００１４】
続いて、添付した図面を参照しつつ、本発明を具体化した実施の形態につき説明し、本発明の理解に供する。なお、図において、説明に関連しない部分は図示を省略する場合がある。
【００１５】
本発明の一実施の形態に係る反射式道路鋲（反射体の一例）１０は、図１に示すように、例えば路面（設置面の一例）のセンターライン（区画線の一例）Ｌ１０の上に間隔をあけて配置され、夜間における道路利用者の視線を誘導できる。
反射式道路鋲１０は、表面及び内部に図３に示すガラスビーズ（再帰反射材の一例）１６を有し、溶融式区画線塗料を用いて形成されている。
【００１６】
反射式道路鋲１０は、図２に示すように、平面視して円形状となっている。なお、図２に示す反射式道路鋲１０は、後述する突部１２の先端部の詳細な形状（図３参照）が省略して描かれている。
反射式道路鋲１０は、下側に路面に設置される面となる実質的な平面が形成されている。また、反射式道路鋲１０は、この平面と反対側に向かって膨らみ、中央部に頂部が形成されている。換言すると、反射式道路鋲１０は、水平な路面に設置された状態において、上方の頂部に向かうに従って（路面から離れる方向に向かうに従って）、路面と平行な断面の面積が徐々に小さくなっている
【００１７】
反射式道路鋲１０の上面には、平面視して、複数の六角柱状の突部（柱状体）１２が形成されている。突部１２は、間隔をあけて上面の全体にわたり形成されている。突部１２の先端部には、図３に示すように、突部１２が突出する方向と直交する面に対して傾斜した傾斜面１８が形成されている。突部１２の表面（上面）には、自動車のヘッドライト等から照射された光を反射するガラスビーズ１６が付着している。
このように、突部１２の先端部は、先端方向に向かうに従って細くなるように形成されている。従って、反射体１０は、突部１２の先端部がこのように形成されていない場合と比較して、照明装置２０から照射された光が当たる面積が増大し、光をより反射し易くなる。
【００１８】
別の観点から説明すると、反射式道路鋲１０の表面には、突部１２を形成し、水膜形成を阻害するための溝１４が設けられている。この溝１４は、隣り合う突部１２の間隔となっている。
反射式道路鋲１０に溝１４が形成されていることにより、表面に水膜が形成されることが抑制され、雨天時にガラスビーズ１６からの反射光が減衰してしまうことが抑制される。
【００１９】
次に、反射式道路鋲１０の製造方法について説明する。反射式道路鋲１０は、次の工程に従って、溶融式区画線塗料を型（不図示）に流し込むことによって製造される。ただし、可能な場合には、各工程は順番を入れ替えて実施されてもよいし、並行して実施されてもよい。
【００２０】
（工程Ｓａ１）
溶融式区画線塗料の粉末状の材料にガラスビーズ１６を混ぜ合わせ、加熱する。加熱された粉末状の材料は溶融し、ガラスビーズ１６を含んだ液体状の溶融式区画線塗料となる。
【００２１】
（工程Ｓａ２）
反射式道路鋲１０の突部１２（図２参照）に対応する窪みが形成された型を準備する。反射式道路鋲１０は、この型を用いて、上面側（突部１２の側）が下方を向く状態で形成される。従って、この窪みは型の底側となる。
次に、窪みにガラスビーズ１６を入れる。ガラスビーズ１６は、少なくとも窪みの底が見えなくなるまで投入されることが好ましい。
【００２２】
（工程Ｓａ３）
型にガラスビーズ１６を含んだ液体状の溶融式区画線塗料を流し込む。
【００２３】
（工程Ｓａ４）
放置して冷却すると、液体状の溶融式区画線塗料が硬化し、反射式道路鋲１０が形成される。
このように、反射式道路鋲１０は、工程Ｓａ１〜Ｓａ４を経て製造され、工程Ｓａ２にて、予め突部１２に対応する窪みの底にガラスビーズ１６が配置されるので、突部１２の表面にガラスビーズ１６が付着する。また、型に流し込まれる溶融式区画線塗料がガラスビーズ１６を含んでいるので、反射式道路鋲１０の内部にもガラスビーズ１６が配置される。
【００２４】
すなわち、反射式道路鋲１０の製造方法は、反射体を形成する型の内側（底側）の面に沿ってガラスビーズ１６を配置する工程Ｓａ２（第１の工程の一例）と、型にガラスビーズ１６を含む液体状の溶融式区画線塗料を流し込む工程Ｓａ３（第２の工程の一例）と、を含んでいるので、反射式道路鋲１０の表面のみならず、内部にもガラスビーズ１６が配置される。
従って、路面に設置された反射式道路鋲１０の表面が摩耗しても、内部のガラスビーズ１６が露出するので、光の反射能力が持続する。
【００２５】
次に、反射式道路鋲１０の設置方法（施工方法）について説明する。反射式道路鋲１０は、次の工程に従って設置される。
（工程Ｓｂ１−１）
アスファルト舗装の上に、溶融式区画線塗料を用いてセンターラインＬ１０を引く。溶融式区画線塗料の温度は、施工直後においては、例えば１８０〜２００℃の高温となっている。
【００２６】
（工程Ｓｂ１−２）
溶融式区画線塗料が硬化する前に、反射式道路鋲１０をセンターラインＬ１０の上の予め決められた設置箇所に載せ、上方から押し付ける。反射式道路鋲１０は、溶融式区画線塗料を用いて形成されているので下面が溶融し、センターラインＬ１０と反射式道路鋲１０とは実質的に一体化する。
【００２７】
（工程Ｓｂ１−３）
溶融式区画線塗料が硬化すると反射式道路鋲１０が固定される。
【００２８】
このように、図１に示す反射式道路鋲１０は、工程Ｓｂ１−１〜Ｓｂ１−３を経て路面のセンターラインＬ１０上に設置される。
【００２９】
ここで、反射式道路鋲１０は、次の工程に従って、センターラインＬ１０上ではなく路面に直接設置することも可能である。
（工程Ｓｂ２−１）
前処理として、アスファルト舗装の上の設置箇所にプライマーを塗布する。プライマーは、アスファルト舗装と溶融式区画線塗料との親和性を高め、下地を作るための溶剤である。
【００３０】
（工程Ｓｂ２−２）
溶融した状態の溶融式区画線塗料をプライマーが塗布された設置箇所に塗布する。塗布された溶融式区画線塗料の温度は、塗布直後においては、例えば１８０〜２００℃の高温となっている
【００３１】
（工程Ｓｂ２−３）
塗布された溶融式区画線塗料の上に反射式道路鋲１０を載せ、上方から押し付ける。反射式道路鋲１０は、溶融式区画線塗料を用いて形成されているので、アスファルト舗装側の下面が溶融する。
【００３２】
（工程Ｓｂ２−４）
溶融式区画線塗料が硬化すると反射式道路鋲１０がアスファルト舗装に固定される。
【００３３】
このように、反射式道路鋲１０は、工程Ｓｂ２−１〜Ｓｂ２−４を経て路面の任意の箇所に設置される。
以上説明したように、反射式道路鋲１０は、専用の装置を用いることなく簡単に設置ができる。
【００３４】
以上、本発明の実施の形態を説明したが、本発明は、上記した形態に限定されるものでなく、要旨を逸脱しない条件の変更等は全て本発明の適用範囲である。
区画線はセンターラインに限定されず、溶融式区画線塗料により引かれるものであれ任意のラインでよい。
設置面は、路面に限定されず、溶融式区画線塗料にて区画線を引くことができれば任意の面でよい。
再帰反射材は、ガラスビーズでなくてもよい。
【符号の説明】
【００３５】
１０  反射式道路鋲
１２  突部
１４  溝
１６  ガラスビーズ
１８  傾斜面
２０  照明装置
Ｌ１０  センターライン
【図１】
0006048766.tif 000002
【図２】
0006048766.tif 000003
【図３】
0006048766.tif 000004